(57)【要約】【課題】本発明は、光情報記録媒体の記録感度により決定される記録速度範囲外での記録を可能にする光情報記録方法及びその装置を提供することを目的とする。【解決手段】本発明の光情報記録装置は、基準クロックを生成する基準クロック発生部（１２）と、基準クロックから記録クロック信号を生成する記録クロック生成部（１３）と、マーク長に適した記録マークのマーク形状を形成するための記録波形の形状を決める設定値を記憶する波形設定値記憶部（１４）と、記録クロック生成部により生成された記録クロック信号と波形設定値記録部に記憶されている設定値とに基づいて、記録波形の形状と、加熱パルス及び冷却パルスの各パルス幅又は各照射パワーのうち少なくともいずれか１つを任意に設定する記録波形発生部（１５）とを有する。【選択図】        図１
2005038475.tif 000002
【特許請求の範囲】
【請求項１】
光情報記録媒体の記録感度により決まる書込み速度範囲外の異なる線速度で前記光情報記録媒体上に光源からの光により情報を記録する際に、複数個の加熱パルス及び冷却パルスを含むマルチパルス光を光源に発光させて前記光情報記録媒体の記録層に記録マークを形成する光情報記録方法において、
前記光情報記録録媒体の記録感度と書込み線速度に応じて、複数個の前記加熱パルスと前記冷却パルスの各パルス幅又は各照射パワーのうち少なくともいずれか１つを任意に設定することを特徴とする光情報記録方法。
【請求項２】
光情報記録媒体の記録感度により決まる書込み速度範囲外の異なる線速度で前記光情報記録媒体上に光源からの光により情報を記録する際に、先頭部加熱パルスと先頭部冷却パルスで構成するトップパルスと、中央部加熱パルスと中央部冷却パルスで構成する複数個のセンターパルスと、後部加熱パルスと後部冷却パルスで構成するラストパルスとを含むマルチパルス光を光源に発光させて前記光情報記録媒体の記録層に記録マークを形成する光情報記録方法において、
前記光情報記録媒体の記録感度と書込み線速度に応じて、前記トップパルス及び前記センターパルス並びに前記ラストパルスのうち少なくともいずれか１つのパルスの、パルス幅、照射パワー又はデューティーのうち少なくとも１つを任意に設定することを特徴とする光情報記録方法。
【請求項３】
光情報記録媒体の記録感度により決まる書込み速度範囲外の異なる線速度で前記光情報記録媒体上に光源からの光により情報を記録する際に、先頭部加熱パルスと先頭部冷却パルスで構成するトップパルスと、中央部加熱パルスと中央部冷却パルスで構成する複数個のセンターパルスと、後部加熱パルスと後部冷却パルスで構成するラストパルスとを含むマルチパルス光を光源に発光させて前記光情報記録媒体の記録層に記録マークを形成する光情報記録方法において、
前記光記録媒体の記録感度と書込み線速度に応じて、前記トップパルス及び前記センターパルス並びに前記ラストパルスのうち少なくともいずれか１つのパルスの発生位置を任意に設定することを特徴とする光情報記録方法。
【請求項４】
光情報記録媒体の記録感度により決まる書込み速度範囲外の異なる線速度で前記光情報記録媒体上に光源からの光により情報を記録する際に、先頭部加熱パルスと先頭部冷却パルスで構成するトップパルスと、中央部加熱パルスと中央部冷却パルスで構成する複数個のセンターパルスと、後部加熱パルスと後部冷却パルスで構成するラストパルスとを含むマルチパルス光を光源に発光させて前記光情報記録媒体の記録層に記録マークを形成する光情報記録方法において、
前記光情報記録媒体の記録感度と書込み線速度に応じて、前記センターパルスの個数を任意に設定することを特徴とする情報記録方式。
【請求項５】
前記光情報記録媒体の記録感度と書込み線速度に応じて任意の数に設定された前記センターパルスのパルス幅、照射パワー又はデューティーのうち少なくともいずれか１つを任意に設定する請求項４記載の光情報記録方法。
【請求項６】
前記センターパルスの個数と記録感度と書込み線速度に応じて、前記トップパルス又は前記ラストパルスの、パルス幅、照射パワー又はデューティーを任意に設定する請求項４又は５に記載の光情報記録方法。
【請求項７】
前記センターパルスの個数と記録感度と書込み線速度に応じて、前記トップパルス又は前記ラストパルスの、パルスの発生を任意に設定する請求項４〜６のいずれかに記載の光情報記録方法。
【請求項８】
前記光情報記録媒体の記録感度と書込み線速度に応じて、前記トップパルスのパルス周期が変化した際、前記センターパルスの生成位置またはパルス数を任意に設定する請求項２〜４のいずれかに記載の光情報記録方法。
【請求項９】
前記光情報記録媒体の記録感度と書込み線速度に応じて、前記トップパルスの生成位置、パルス幅、照射パワー又はデューティーを任意に設定する請求項１〜４のいずれかに記載の光情報記録方法。
【請求項１０】
書込みを行うとする記録マークの直前の記録マーク、スペース長、記録感度及び書込み線速度に応じて、前記トップパルス又は前記センターパルスの、生成位置、パルス幅、照射パワー又はデューティーの少なくともいずれか１つを任意に設定する請求項８又は９に記載の光情報記録方法。
【請求項１１】
前記光情報記録媒体の記録感度と書込み線速度に応じて、前記ラストパルスのパルス周期が変化した際、前記センターパルスのパルス幅又はパルス数を任意に設定する請求項２〜４のいずれかに記載の光情報記録方法。
【請求項１２】
前記光情報記録媒体の記録感度と書込み線速度に応じて、前記ラストパルスの生成位置、パルス幅、照射パワー又はデューティーを任意に設定する請求項２〜４のいずれかに記載の光情報記録方法。
【請求項１３】
書込みを行うとする記録マークの直後のスペース長、次の記録マーク、記録感度及び書込み線速度に応じて、前記センターパルス及び前記ラストパルスの生成位置、パルス幅、照射パワー又はデューティーの少なくともいずれか１つを任意に設定する請求項１１又は１２に記載の光情報記録方法。
【請求項１４】
全ての加熱パルスと冷却パルスのパルス幅は、適正なマーク形状を形成可能とする記録感度により決まる書込み速度範囲内の加熱パルス及び冷却パルスのパルス幅とほぼ同じ時間幅である請求項１〜１３のいずれかに記載の光情報記録方法。
【請求項１５】
光情報記録媒体の記録感度により決まる書込み速度範囲外の異なる線速度で前記光情報記録媒体上に光源からの光により情報を記録する際に、複数個の加熱パルス及び冷却パルスを含むマルチパルス光を光源に発光させて前記光情報記録媒体の記録層に記録マークを形成する光情報記録装置において、
基準クロックを生成する基準クロック発生部と、
前記基準クロックから記録クロック信号を生成する記録クロック生成部と、
マーク長に適した前記記録マークのマーク形状を形成するための記録波形の形状を決める設定値を記憶する波形設定値記憶部と、
前記記録クロック生成部により生成された前記記録クロック信号と前記波形設定値記録部に記憶されている前記設定値とに基づいて、前記記録波形の形状と、前記加熱パルス及び前記冷却パルスの各パルス幅又は各照射パワーのうち少なくともいずれか１つを任意に設定する記録波形発生部と
を有することを特徴とする光情報記録装置。
【発明の詳細な説明】
【０００１】
【発明の属する技術分野】
本発明は光情報記録方法及びその装置に関し、詳細には光情報記録媒体への適応範囲速度外における光情報記録を可能とする技術に関する。
【０００２】
【従来の技術】
【特許文献１】特開２００１−２５０２３０号公報
近年、情報量の増大に伴い、光ディスクは高密度でかつ高速なデータの記録・再生ができる記録媒体として期待されている。この光ディスクには、１度だけ記録可能な追記型と、記録・消去が何度でも可能な書換え型があり、後者（書換え型）には光磁気効果を利用した光磁気記録媒体や可逆的な結晶状態の変化に伴う反射率変化を利用した相変化型記録媒体がある。
【０００３】
光ディスクの記録原理が異なるため、穴あけや変形を利用したライトワンス媒体、キュリー点近傍での磁気の反転を利用した光磁気媒体、記録層の結晶とアモルファス相間の相転移を利用した相変化型記録媒体がある。いずれもレーザダイオード（以下ＬＤと略す）等の光源による記録層への照射パワーにより、記録層を所定の温度以上に昇温させ、物理的もしくは科学的変化を生じさせて記録を行う。
【０００４】
例えば相変化型記録媒体では、通常結晶状態の時に未記録・消去状態（以下スペースと称す）とし、アモルファス相状態のときに記録状態（以下マークと称す）とする。ＬＤの照射パワーにより記録層を融点以上に昇温した後、適正な冷却時間を設けて短時間で結晶化領域よりも温度を下げた（急冷的）ときに記録層はアモルファス相、すなわちマークとなる。また、ＬＤの適正な照射パワーにより、記録層温度が結晶化領域となる時間を増やすにすることにより記録層は結晶化し、消去状態（イレース）となる。
【０００５】
一方、これらライトワンス媒体や相変化型記録媒体の光記録媒体への光情報記録方法には、近年ほとんどすべて高密度化に適したマーク長記録方法が採用されている。マーク長記録方法とはマーク部とマーク部の両方の長さを変化させてデータを記録するデータ記録方法である。ただし、正確にデータを再生するためにマークの時間的長さの検出が厳密となるため、マークエッジの形状の正確な制御が必要となる。更に、短いマークから長いマークまで長さの異なる数種類のマークを形成しなければならない困難性もある。
【０００６】
前述したような数種類のマークの長さは、情報を記録するための一般的な記録波形としてＥＦＭ（Ｅｉｇｈｔ  Ｆｏｕｒｔｅｅｎ  Ｍｏｄｕｌａｔｉｏｎ）変調コードがある。このＥＦＭ信号をそのまま記録波形、すなわちＬＤ発光波形とすると、特に相変化型記録媒体での長いマーク記録方法においては、前方から蓄積された熱によりマークの後方に行くに従ってマーク形状が涙状になり、再生品質が劣化するという問題がある。このため、ＥＦＭ変調コードなどに基づいて生成したマルチパルスのＬＤ発光波形（以下マルチパルス波形と称す）により相変化型記録媒体等にマークを形成し、上記問題を防止している。
【０００７】
図１５は相変化型記録媒体への一般的なマルチパルス記録波形の一例を示すタイムチャートであり、図１６は加熱パルスＣと冷却パルスＢの１周期による記録層温度変化を示す特性図である。ユーザデータから決定されるＥＦＭのデータ長と等しい長さの記録媒体上にマーク形状を形成する際に、上述したようにマーク形状が涙状に形成するのを防止するため、図１５に示すような記録波形を照射する。図１５中の記録波形は、ＬＤが記録媒体に対して光を照射して適正なマーク形状を形成するために複数個の加熱パルス及び冷却パルスからなるマルチパルス波形をしている。記録波形の予備加熱パルスＡの照射パワーをＰｗａ、先頭部冷却パルスＦ及び中央部冷却パルスＢ並びに後部冷却パルスＥの照射パワーをＰｂ、加熱パルスＣ及び後部加熱パルスＤの照射パワーをＰｗｂとし、またマーク形状を消去するための照射パワー（イレースパワー）をＰｅとし、再生時の照射パワーはＰｂとほぼ等しい。
【０００８】
相変化型記録媒体への記録の際には、記録層を予備加熱してマーク先頭形状、つまり先頭マークエッジ位置を先頭部加熱パルスＡと先頭部冷却パルスＦにより決定する。そして、後続の複数個の中央部加熱パルスＣと中央部冷却パルスＢにより加熱・急冷を行って中央部マーク形状を形成する。次に、後部加熱パルスＤ及び後部の冷却パルスＥ並びにマーク形状を消去する照射パワーＰｅを与えることにより記録層温度を加熱・急冷し、そして結晶化温度（イレース）して後部マーク形状、つまり後部マークエッジ位置を決定する。
【０００９】
図１５中の基準クロックＷＣＫは、記録媒体上に刻まれた案内溝のウォブルから読み込まれ、２値化処理等を経て得られる記録媒体上の位置を知らせるものである。また、一般的に記録波形の各加熱／冷却パルス周期はこの基準クロックＷＣＫの周期Ｔに一致しており、同図中の中央部加熱パルスＣと中央部冷却パルスＢのパルス幅はそれぞれ０．５Ｔであり、周期は１Ｔとしている。また、色素系等のライトワンス型の記録層を有する記録媒体上に光源からの光により情報を記録する際は、イレースパワーＰｅを発生させず、後部の加熱パルスＤ及び後部の冷却パルスＥにより後部マーク形状（後部マークエッジ位置）を決定する。
【００１０】
【発明が解決しようとする課題】
このように、マルチパルス波形や高速対応記録媒体により記録の高速化が進んできているが、一方で記録媒体としては記録速度のマージンは限界に近づいてきている。特に、相変化型記録媒体では、記録材料の特性上、記録速度のマージンを広くすることが困難であるとされており、個々の記録媒体は高速対応または低速対応といった記録速度に限定されたものとなってしまう。すなわち、記録媒体の感度によって決まる書込み速度範囲と異なる線速度では記録不可能となる。特に、高速対応記録媒体への低速記録が困難であることで、記録装置の汎用性及び互換性が低下してしまう。
【００１１】
このような記録媒体の対応速度と異なる記録速度での記録特性の低下の原因の一例を下記に説明する。
記録媒体の記録感度特性、及び記録媒体から読み取られる基準クロック信号ＷＣＫの周期（基準クロック周期Ｔ）を基準とした情報記録方式によるものであり、図１７〜図１９に記録感度及びＷＣＫを基準とした情報記録方式による問題点を表わすタイミングチャートを示す。
【００１２】
図１７は高速対応記録媒体に対して書込み範囲外の低線速にて記録を行ったものであり、記録波形の複数個の加熱パルス／冷却パルス幅のデューティーは図１５のデューティーと一致しているものとする。図１７に示すように、線速度を遅くしたことにより、ＷＣＫの周期Ｔが長くなる。周期Ｔが長くなることに伴い、記録波形の複数個の加熱／冷却パルスの時間幅が長く、すなわち記録層への照射パワーが大きくなることにより、図１８の適正なマーク形状を形成する温度変化（図１８の点線）よりも大きな温度変化を起こす。このことによりマーク形状は適正なマーク形状（図１８の点線）よりも大きなマークとなってしまう。また、記録層に熱の蓄積が起こり、マーク形状が後方にいくに従って幅が大きくなってしまう。これでは正常な再生信号得られない。
【００１３】
そこで、図１９は照射パワーを与えすぎように、すなわちマーク形状の幅が太くならないようにデューティーを調整したときを示す。加熱パルスＡ及びＣのパルス幅を図１５とほぼ同一としたものである。マーク形状の幅は適正なマーク形状（図１９の点線）とほぼ一致するが、加熱パルスと冷却パルスの周期はＷＣＫと同一のため、冷却時間が長すぎてしまい、マーク形状が非連続となってしまい、再生信号を得られない。
【００１４】
逆に、図２０は低速対応記録媒体に対して書込み範囲外の高線速度での書込みを行った場合の記録波形の一例を示すタイムチャートであり、図２１は記録層温度変化を示した特性図である。図１６と同様に加熱パルス／冷却パルスのデューティーは図１５と同一とする（図示なし）。高線速で行うことでＷＣＫの周期Ｔは短くなってしまうので、適正な線速度にて書込みを行ったときの温度変化（図２１の点線）に比べ、照射パワーが減少し図２１の実線のように記録層温度が融点まで達さない。そのためマーク形状を形成することができない。すなわち、上記のような記録感度により決まる記録速度範囲と異なる線速度で書込みを行うことで起こる問題点の原因は以下のことが要因となっている。
【００１５】
先ず、第１の問題点として、記録波形の加熱パルス及び冷却パルスの周期とＷＣＫの周期Ｔが同一である記録方式であることである。例えば、加熱パルス及び冷却パルスのパルス幅を０．５Ｔとする加熱／冷却パルス周期１Ｔの記録方式であることである。
【００１６】
また、第２の問題点として、高速対応記録媒体は高密度化あるいは高速化に伴う基準クロック周期Ｔの高周波化に対応するために、記録層の感度が高くなるよう。すなわち照射パワーに対し急激に昇温あるいは冷却されるように設計されていることである。そのため高速対応記録媒体へ高速記録時と同じ基準クロック周期Ｔによる加熱／冷却パルスのデューティーで記録範囲外の低速書込みを行うとすると、基準クロック周期は低周波化し、照射パワーを与えすぎてしまうことにより、図１７のように形成マークが徐々に太くなってしまったり、形成マーク幅の太りを抑えるためにデューティーを変化させる（加熱パルスを短くする）と、図１９に示すように形成されるマークが非連続になってしまう。
【００１７】
更に、第３の問題点として、第２の問題点とは逆に低速対応記録媒体の記録層感度が低いことである。低速対応記録媒体に対して高速記録を行うとすると、記録速度の高速化による基準クロック周期Ｔの高周波化に伴い加熱時間が短くなるため、記録層の温度がマークを形成するための融点温度に達せずマークを形成することができなくなってしまう。
【００１８】
以上のことから記録媒体は高速対応記録媒体と低速対応記録媒体に区別されて使用されているが、記録媒体の汎用性・互換性を持たせるためには記録媒体の記録感度によって決められてしまう記録速度範囲以外でも記録を行えるようにする必要がある。
【００１９】
本発明はこれらの問題点を解決するためのものであり、光情報記録媒体の記録感度により決定される記録速度範囲外での記録を可能にする光情報記録方法及びその装置を提供することを目的とする。
【００２０】
【課題を解決するための手段】
前記問題点を解決するために、本発明の光情報記録方法によれば、光情報記録媒体の記録感度により決まる書込み速度範囲外の異なる線速度で光情報記録媒体上に光源からの光により情報を記録する際に、複数個の加熱パルス及び冷却パルスを含むマルチパルス光を光源に発光させて光情報記録媒体の記録層に記録マークを形成する。そして、本発明の光情報記録方法では、光情報記録録媒体の記録感度と書込み線速度に応じて、複数個の加熱パルスと冷却パルスの各パルス幅又は各照射パワーのうち少なくともいずれか１つを任意に設定する。よって、光情報記録媒体の記録感度により決定される記録速度範囲外での記録を可能となる。
【００２１】
また、本発明の光情報記録方法によれば、光情報記録媒体の記録感度により決まる書込み速度範囲外の異なる線速度で光情報記録媒体上に光源からの光により情報を記録する際に、先頭部加熱パルスと先頭部冷却パルスで構成するトップパルスと、中央部加熱パルスと中央部冷却パルスで構成する複数個のセンターパルスと、後部加熱パルスと後部冷却パルスで構成するラストパルスとを含むマルチパルス光を光源に発光させて光情報記録媒体の記録層に記録マークを形成する。そして、本発明の光情報記録方法では、光情報記録媒体の記録感度と書込み線速度に応じて、トップパルス及びセンターパルス並びにラストパルスのうち少なくともいずれか１つのパルスの、パルス幅、照射パワー又はデューティーのうち少なくとも１つを任意に設定する。よって、マーク形状の形成が可能になる。
【００２２】
更に、本発明の光情報記録方法によれば、光記録媒体の記録感度と書込み線速度に応じて、トップパルス及びセンターパルス並びにラストパルスのうち少なくともいずれか１つのパルスの発生位置を任意に設定する。よって、マーク形状の形成が可能になる。
【００２３】
また、本発明の光情報記録方法では、光情報記録媒体の記録感度と書込み線速度に応じて、センターパルスの個数を任意に設定する。よって、マーク形状の形成が可能になる。
【００２４】
更に、光情報記録媒体の記録感度と書込み線速度に応じて任意の数に設定されたセンターパルスのパルス幅、照射パワー又はデューティーのうち少なくともいずれか１つを任意に設定することにより、マークの中央部の不連続性やマークの太りを解決し、マーク形状の形成が可能になる。
【００２５】
また、センターパルスの個数と記録感度と書込み線速度に応じて、トップパルス又はラストパルスの、パルス幅、照射パワー又はデューティーを任意に設定することにより、マークの中央部の不連続性やマークの太りを解決し、適正なマーク形状を形成することが可能である。
【００２６】
更に、センターパルスの個数と記録感度と書込み線速度に応じて、トップパルス又はラストパルスの、パルスの発生を任意に設定することにより、適正なマーク形状を形成することが可能である。
【００２７】
また、光情報記録媒体の記録感度と書込み線速度に応じて、トップパルスのパルス周期が変化した際、センターパルスの生成位置またはパルス数を任意に設定することにより、記録感度及び記録しようとするマークの直前のマーク長及びスペース長により決まる書込み線速度範囲外での書込みにて起こる形成されるマークの先頭部の適正なマーク形状を形成することが可能である。
【００２８】
更に、光情報記録媒体の記録感度と書込み線速度に応じて、トップパルスの生成位置、パルス幅、照射パワー又はデューティーを任意に設定することにより、適正なマーク形状を形成することが可能である。
【００２９】
また、書込みを行うとする記録マークの直前の記録マーク、スペース長、記録感度及び書込み線速度に応じて、トップパルス又はセンターパルスの、生成位置、パルス幅、照射パワー又はデューティーの少なくともいずれか１つを任意に設定する。よって、マークが不連続になることを防ぎ、適正なマーク形状が可能となる。
【００３０】
更に、光情報記録媒体の記録感度と書込み線速度に応じて、ラストパルスのパルス周期が変化した際、センターパルスのパルス幅又はパルス数を任意に設定することにより、適正なマーク形状を形成することが可能である。
【００３１】
また、光情報記録媒体の記録感度と書込み線速度に応じて、ラストパルスの生成位置、パルス幅、照射パワー又はデューティーを任意に設定することにより、適正なマーク形状を形成することが可能である。
【００３２】
更に、書込みを行うとする記録マークの直後のスペース長、次の記録マーク、記録感度及び書込み線速度に応じて、センターパルス及びラストパルスの生成位置、パルス幅、照射パワー又はデューティーの少なくともいずれか１つを任意に設定することにより、適正なマーク形状を形成することが可能である。
【００３３】
また、全ての加熱パルスと冷却パルスのパルス幅は、適正なマーク形状を形成可能とする記録感度により決まる書込み速度範囲内の加熱パルス及び冷却パルスのパルス幅とほぼ同じ時間幅であることにより、適応速度範囲外でも適正なマーク形状を形成することができる。
【００３４】
更に、別の発明としての光情報記録装置は、基準クロックを生成する基準クロック発生部と、基準クロックから記録クロック信号を生成する記録クロック生成部と、マーク長に適した記録マークのマーク形状を形成するための記録波形の形状を決める設定値を記憶する波形設定値記憶部と、記録クロック生成部により生成された記録クロック信号と波形設定値記録部に記憶されている設定値とに基づいて、記録波形の形状と、加熱パルス及び冷却パルスの各パルス幅又は各照射パワーのうち少なくともいずれか１つを任意に設定する記録波形発生部とを有することに特徴がある。よって、光情報記録媒体の記録感度により決定される記録速度範囲外での記録を可能とし、光情報記録媒体の汎用性及び互換性を高めるための光情報記録装置を提供できる。
【００３５】
【発明の実施の形態】
本発明の光情報記録方法では、光情報記録録媒体の記録感度と書込み線速度に応じて、複数個の加熱パルスと冷却パルスの各パルス幅又は各照射パワーのうち少なくともいずれか１つを任意に設定する。
【００３６】
【実施例】
図１は本発明の一実施例に係る情報記録装置の構成を示すブロック図である。同図に示す本実施例の情報記録装置１０は、ＣＤ−Ｒ／ＲＷ、ＤＶＤ−Ｒ／ＲＷ、ＭＯ等の光ディスクを用いた情報記録媒体に情報を記録する情報記録装置の一例であり、ＥＦＭ変調コードを用いてマークエッジ記録を行うものである。本実施例の情報記録装置１０は、コントローラ１１、基準クロック発生部１２、記録クロック生成部１３、波形設定値記憶部１４、記録波形発生部１５、ＬＤ駆動部１６、ＬＤ１７を含んで構成されている。
【００３７】
そして、コントローラ１１は、ホストコンピュータ（図示せず）から送られてくる情報記録装置１０を制御する制御信号や記録媒体に記録されるユーザデータの送受信及びユーザデータにより決定される記録データＥＦＭを生成する。また、コントローラ１１は、ホストコンピュータからの制御信号による記録クロック生成部１３及び波形設定値記憶部１４並びに記録波形発生部１５の内部に記憶されている設定値の書き換えなどを行う。
【００３８】
また、基準クロック発生部１２は、ＥＦＭ信号のデータ長の基準となる基準クロックＷＣＫを生成する。この基準クロックＷＣＫは記録媒体に刻まれた案内溝のウォブルにより発生する正弦波信号を２値化処理等して生成される。
【００３９】
更に、記録クロック生成部１３は、基準クロック発生部１２から入力された基準クロックＷＣＫを、図２の（ａ）に示すように記録クロック生成部１３が有する逓倍クロック生成部１３−１により逓倍した信号ＮＣＫ（図２の（ｂ））、または図３の（ａ）に示すように記録クロック生成部１３が有する分周クロック生成部１３−２により分周した信号１／ＮＣＫ（図３の（ｂ））、また図４の（ａ）に示すように記録クロック生成部１３が有するシフトクロック生成部１３−３によりそれらの信号の位相をシフトしたＳＦＴＣＫ（図４の（ｂ））や、図５の（ａ）に示すように記録クロック生成部１３が有する逓倍シフトクロック生成部１３−４によりＳＴＣＫ（図５の（ｂ））を記録クロック信号として出力する。記録クロック生成部１３で生成された信号である記録クロック信号及びＷＣＫは、波形設定値記憶部１４や記録波形発生部１５に出力され、波形設定値記憶部１４や記録波形発生部１５の動作クロックとして働く。
【００４０】
ここで、図５の（ａ）に示すような、記録クロック生成部１３の内部構成である逓倍シフトクロック生成部１３−４の一例としてＰＬＬ（Ｐｈａｓｅ  Ｌｏｃｋｅｄ  Ｌｏｏｐ）を用いた逓倍シフトクロック生成部を図６に示す。図６において、入力されたＷＣＫをリファレンス信号とし、電圧制御発振器（Ｖｏｌｔａｇｅ−Ｃｏｎｔｒｏｌｌｅｄ  Ｏｓｃｉｌｌａｔｏｒ）（以下ＶＣＯと略す）６１から出力され、分周器６２により１／Ｎ分周された内部フィードバック信号とする。このリファレンス信号と内部フィードバック信号の位相の違いを位相比較器（Ｐｈａｓｅ  Ｃｏｍｐａｒａｔｏｒ）６３により検出し、その位相差を電圧としてフィルタ６４を介してＶＣＯ６１にフィードバックし制御する。また、内部フィードバック信号は記録信号発生器（Ｃｈａｎｅｌ  Ｃｌｏｃｋ  Ｇｅｎｅｒａｔｏｒ）（以下ＣＨＣＬＫ  Ｇｅｎと略す）６５に入力し、内部フィードバック信号をＭ／８位相シフトし、ＷＣＫに同期した記録クロック信号ＳＴＣＫ０〜７及びＷＣＫを出力する。なお、分周器６２で設定するＮはコントローラ１１により変更可能である。
【００４１】
また、波形設定値記憶部１４には、記録波形形状の設定値が記憶されている。記録クロック生成部１３にて生成された記録クロック信号に同期して動作するディジタル回路から構成されている。波形設定値記憶部１４には、コントローラ１１から入力されたＥＦＭ信号のマーク長（ＷＣＫ周期Ｔを単位とする）から、マーク長に適したマーク形状を形成するための記録波形の形状を決める設定値が記憶されている。その設定値信号を記録波形発生部１５に出力する。その設定値の一例としては、加熱及び冷却パルスのパルス幅やパルス発生位置及び照射パワー（ＬＤ発光パワー）を設定する設定値である。この設定値は記録感度及び書込み線速度に応じて、適正なマーク形状を形成できる記録波形を生成するための設定値である。
【００４２】
次に、記録波形発生部１５は、記録クロック生成部１３から入力される記録クロック信号と波形設定値記憶部１４から入力される設定値信号から記録波形形状及び各パルスの照射パワーを決定し、ＬＤ１７を駆動させるＬＤ駆動部１６を制御する。記録波形は記録クロック生成部１３から生成される基準クロックを逓倍または分周された記録クロックに同期し、基準クロック単位を基準とした記録波形よりもより高分解能の形状を決定することができる。また、照射パワーは記録波形生成部１５にディジタル−アナログコンバータ（ｄｉｇｉｔａｌ−ａｎａｌｏｇ  ｃｏｎｖｅｒｔｅｒ）（以下ＤＡＣと略す）を備えることにより可能である。
【００４３】
上述したように、記録感度により決まる書込み速度範囲以外の書込み線速度の問題点は、記録波形の加熱パルス及び冷却パルスの周期がＷＣＫの周期Ｔ単位であることにより、図１７に示すようにパルスのデューティーを変化させてもマーク形状は次第に太くなってしまったり、図１９に示すように非連続になってしまったり、図２１に示すようにマークを形成するために記録層の温度を融点まで昇温することができないことである。正確なマーク長を形成するためにマルチパルス記録波形は３つのマーク部分を記録するための波形であると考えられる。すなわち、この波形は、図１５に示される先頭マークエッジを決定するための先頭加熱パルスＡ及び先頭冷却パルスＦから構成されるトップパルスと、後部マークエッジを決定するための後部加熱パルスＤ及び後部冷却パルスＥから構成されるラストパルスと、マーク形状の連続性を決定するための複数個の中央部加熱パルスＣと中央部冷却パルスＢとで構成されるセンターパルスである。本発明によれば、この３つのマーク部分を記録感度で決まる書込み線速度範囲外の線速度で書き込めるようにした。
【００４４】
はじめに、中央部マーク形状の連続性を解決する点について説明する。
高速対応記録媒体への低速書込みの際の、中央部マーク形状の連続性が保てないのは図１７及び図１９に示されるように照射パワーの与えすぎによるマーク形状の太りや、冷却パルス時間の増加に伴う冷却時間の増加によって不連続となる。そこで、図７に示すように中央部加熱パルスＣと中央部冷却パルスＢを、加熱パルス幅と冷却パルス幅を記録感度と書込み線速度に応じた発生位置、パルス幅、デューティー又はパルスの個数を任意に設定にすることにより、マーク形状形成が可能になる。また、任意の幅にするために図１の記録クロック生成部１３から生成されたＳＴＣＫにより高分解能のパルス幅を制御できる。
【００４５】
逆に、低速対応記録媒体への高速書込みの際には図２１に示したように、記録層温度が上記低速書込みと同様の理由で融点に達さないためである。そこで、図８に示すようにＷＣＫを分周したＮＣＫを中央部加熱及び冷却パルス周期の基準として、中央部加熱パルスＣと中央部冷却パルスＢを任意にすることで、加熱パルス幅と冷却パルス幅を記録感度と書込み線速度に応じた幅にすることにより、マーク形状形成が可能になる。更に、高分解能の制御を行う場合はＷＣＫを制御クロックとして使用することで可能である。また、センターパルスの照射パワーは図１の記録波形発生部１５内のＤＡＣの設定値により任意に設定することで可能である。
【００４６】
次に、先頭部パルス形状形成を解決する点について説明する。
高速対応記録媒体への低速書込みの際の、先頭部マーク形状が適正に記録できないのは図１７及び図１９に示されるように照射パワーの与えすぎによるマーク形状の太りや、冷却パルス時間の増加に伴う冷却時間の増加によってマークが短くなる。これは前述したように第１の問題点〜第３の問題点によるものである。そこで、図９に示すように先頭部加熱パルスＡと先頭部冷却パルスＦからなるトップパルスの照射パワー、パルス幅、デューティー及び発生位置を任意に設定可能にすることにより、マーク形状形成が可能になる。また、トップパルスを任意に設定するために中央部マーク形状の解決方法と同様に図１の記録クロック生成部１３から生成されたＳＴＣＫにより高分解能のパルス幅を制御できる。なお、照射パワーは図１の記録波形発生部１５のＤＡＣ等で設定すればよい。
【００４７】
逆に、低速対応記録媒体への高速書込みの際には図２１に示されたように、記録層温度が上記低速書込みと同様の理由で融点に達さないためである。そこで、図１０に示すようにＷＣＫを分周したＮＣＫを中央部加熱及び冷却パルス周期の基準として、先頭部加熱パルスＡと先頭部冷却パルスＦを任意にすること及び照射パワーを増加することで、記録感度と書込み線速度に応じたトータルの照射パワーを設定することにより、マーク形状形成が可能になる。更に、高分解能の制御を行う場合はＷＣＫを制御クロックとして使用することで可能である。
【００４８】
また、図１９で示されるように冷却時間の増加によって、マークが不連続になってしまう場合は、図１１で示されるようにトップパルス及びセンターパルスを任意に設定し、冷却パルス幅を減少させて中央部加熱及び冷却パルスを前方にシフトまたはパルス数を増加させることにより解決することができる。更には、書込もうとする記録マークの直前の記録マーク及びスペース長によっては記録層に熱が残っている場合も考えられる。これを解決するために、図１２に示すように、先頭部加熱パルスの発生を遅らせることにより解決可能である。
【００４９】
次に、後部パルス形状形成を解決する点について説明する。
高速対応記録媒体への低速書込みの際の、後部マーク形状が適正に記録できないのは、図１７及び図１９に示されるように、照射パワーの与えすぎによるマーク形状の太りや、冷却パルス時間の増加に伴う冷却時間の増加によってマークが短くなるためである。そこで、図１３に示すように、後部加熱パルスＤと後部冷却パルスＥからなるラストパルスの照射パワー、パルス幅、デューティー及び発生位置を任意に設定可能にすることで、加熱パルス幅と冷却パルス幅及び照射パワーを記録感度と書込み線速度に応じた幅にすることにより、マーク形状形成が可能になる。また、任意の幅にするために、図１の記録クロック生成部１３から生成されたＳＴＣＫにより高分解能のパルス幅を制御できる。更に、照射パワーは図１の記録波形発生部１５のＤＡＣ等で設定すればよい。また、上述のようにパルス幅または照射パワーを後方にずらしことにより適正なマーク形成が可能である。
【００５０】
逆に、低速対応記録媒体への高速書込みの際には図２１に示されたように、記録層温度が上記低速書込みと同様の理由で融点に達さないためである。そこで、図１４に示すように後部加熱及び冷却パルスを発生させず、センターパルスにより後部マーク形状を制御することでも形成が可能になる。更に、高分解能の制御を行う場合はＷＣＫを制御クロックとして使用することで可能である。また、センターパルス及びラストパルスを任意に設定することにより適正なマーク形状を形成することが可能になる。
【００５１】
また、高速記録時に基準クロックＷＣＫの時間周期Ｔが短くなる場合などのトップパルスと複数個のセンターパルスとラストパルスで構成されるマルチパルス光の形成が困難になった際に、トップパルスまたはセンターパルスまたはラストパルスのいずれかにより１つのパルスを発生し、パルス幅等を任意に設定することにより適正なマーク形状を形成することが可能である。更に、上記マルチパルスの光とは異なる、１つのパルスによる出力光であるシングルパルス光による記録も可能になる。また、トップパルスと複数個のセンターパルスとラストパルスから構成されるマルチパルス光の、センターパルスの個数、パルス幅、照射パワー、デューティー又は発生位置のうち少なくともいずれか１つを任意に設定する。更に、すべてのパルス幅等を任意に設定してもよく、マルチパルス光を構成する各々のパルス幅は全て異なってもよい。また、高速対応または低速対応記録媒体への適応範囲外の速度にて記録する際に、適正なマーク形状を形成できる記録速度及び記録感度によって決まる書込み線速度内の設定を参考に算出されたパルスの時間幅や照射パワーを適応外速度でもほぼ一致させることにより、適応速度範囲外でも適正なマーク形状を形成することができる。更に、情報記録装置により記録感度によって決まる書込み線速度外の書込み線速度でも適正なマーク形状を形成できることにより、記録媒体の汎用性及び互換性を高めるものである。
【００５２】
なお、本発明は上記実施例に限定されるものではなく、特許請求の範囲内の記載であれば多種の変形や置換可能であることは言うまでもない。
【００５３】
【発明の効果】
以上説明したように、本発明の光情報記録方法によれば、光情報記録媒体の記録感度により決まる書込み速度範囲外の異なる線速度で光情報記録媒体上に光源からの光により情報を記録する際に、複数個の加熱パルス及び冷却パルスを含むマルチパルス光を光源に発光させて光情報記録媒体の記録層に記録マークを形成する。そして、本発明の光情報記録方法では、光情報記録録媒体の記録感度と書込み線速度に応じて、複数個の加熱パルスと冷却パルスの各パルス幅又は各照射パワーのうち少なくともいずれか１つを任意に設定する。よって、光情報記録媒体の記録感度により決定される記録速度範囲外での記録を可能となる。
【００５４】
また、本発明の光情報記録方法によれば、光情報記録媒体の記録感度により決まる書込み速度範囲外の異なる線速度で光情報記録媒体上に光源からの光により情報を記録する際に、先頭部加熱パルスと先頭部冷却パルスで構成するトップパルスと、中央部加熱パルスと中央部冷却パルスで構成する複数個のセンターパルスと、後部加熱パルスと後部冷却パルスで構成するラストパルスとを含むマルチパルス光を光源に発光させて光情報記録媒体の記録層に記録マークを形成する。そして、本発明の光情報記録方法では、光情報記録媒体の記録感度と書込み線速度に応じて、トップパルス及びセンターパルス並びにラストパルスのうち少なくともいずれか１つのパルスの、パルス幅、照射パワー又はデューティーのうち少なくとも１つを任意に設定する。よって、マーク形状の形成が可能になる。
【００５５】
更に、本発明の光情報記録方法によれば、光記録媒体の記録感度と書込み線速度に応じて、トップパルス及びセンターパルス並びにラストパルスのうち少なくともいずれか１つのパルスの発生位置を任意に設定する。よって、マーク形状の形成が可能になる。
【００５６】
また、本発明の光情報記録方法では、光情報記録媒体の記録感度と書込み線速度に応じて、センターパルスの個数を任意に設定する。よって、マーク形状の形成が可能になる。
【００５７】
更に、光情報記録媒体の記録感度と書込み線速度に応じて任意の数に設定されたセンターパルスのパルス幅、照射パワー又はデューティーのうち少なくともいずれか１つを任意に設定することにより、マークの中央部の不連続性やマークの太りを解決し、マーク形状の形成が可能になる。
【００５８】
また、センターパルスの個数と記録感度と書込み線速度に応じて、トップパルス又はラストパルスの、パルス幅、照射パワー又はデューティーを任意に設定することにより、マークの中央部の不連続性やマークの太りを解決し、適正なマーク形状を形成することが可能である。
【００５９】
更に、センターパルスの個数と記録感度と書込み線速度に応じて、トップパルス又はラストパルスの、パルスの発生を任意に設定することにより、適正なマーク形状を形成することが可能である。
【００６０】
また、光情報記録媒体の記録感度と書込み線速度に応じて、トップパルスのパルス周期が変化した際、センターパルスの生成位置またはパルス数を任意に設定することにより、記録感度及び記録しようとするマークの直前のマーク長及びスペース長により決まる書込み線速度範囲外での書込みにて起こる形成されるマークの先頭部の適正なマーク形状を形成することが可能である。
【００６１】
更に、光情報記録媒体の記録感度と書込み線速度に応じて、トップパルスの生成位置、パルス幅、照射パワー又はデューティーを任意に設定することにより、適正なマーク形状を形成することが可能である。
【００６２】
また、書込みを行うとする記録マークの直前の記録マーク、スペース長、記録感度及び書込み線速度に応じて、トップパルス又はセンターパルスの、生成位置、パルス幅、照射パワー又はデューティーの少なくともいずれか１つを任意に設定する。よって、マークが不連続になることを防ぎ、適正なマーク形状が可能となる。
【００６３】
更に、光情報記録媒体の記録感度と書込み線速度に応じて、ラストパルスのパルス周期が変化した際、センターパルスのパルス幅又はパルス数を任意に設定することにより、適正なマーク形状を形成することが可能である。
【００６４】
また、光情報記録媒体の記録感度と書込み線速度に応じて、ラストパルスの生成位置、パルス幅、照射パワー又はデューティーを任意に設定することにより、適正なマーク形状を形成することが可能である。
【００６５】
更に、書込みを行うとする記録マークの直後のスペース長、次の記録マーク、記録感度及び書込み線速度に応じて、センターパルス及びラストパルスの生成位置、パルス幅、照射パワー又はデューティーの少なくともいずれか１つを任意に設定することにより、適正なマーク形状を形成することが可能である。
【００６６】
また、全ての加熱パルスと冷却パルスのパルス幅は、適正なマーク形状を形成可能とする記録感度により決まる書込み速度範囲内の加熱パルス及び冷却パルスのパルス幅とほぼ同じ時間幅であることにより、適応速度範囲外でも適正なマーク形状を形成することができる。
【００６７】
更に、別の発明としての光情報記録装置は、基準クロックを生成する基準クロック発生部と、基準クロックから記録クロック信号を生成する記録クロック生成部と、マーク長に適した記録マークのマーク形状を形成するための記録波形の形状を決める設定値を記憶する波形設定値記憶部と、記録クロック生成部により生成された記録クロック信号と波形設定値記録部に記憶されている設定値とに基づいて、記録波形の形状と、加熱パルス及び冷却パルスの各パルス幅又は各照射パワーのうち少なくともいずれか１つを任意に設定する記録波形発生部とを有することに特徴がある。よって、光情報記録媒体の記録感度により決定される記録速度範囲外での記録を可能とし、光情報記録媒体の汎用性及び互換性を高めるための光情報記録装置を提供できる。
【図面の簡単な説明】
【図１】本発明の一実施例に係る情報記録装置の構成を示すブロック図である。
【図２】図１の記録クロック生成部の構成及び入出力信号波形を示す図である。
【図３】図１の記録クロック生成部の別の構成及び入出力信号波形を示す図である。
【図４】図１の記録クロック生成部の別の構成及び入出力信号波形を示す図である。
【図５】図１の記録クロック生成部の別の構成及び入出力信号波形を示す図である。
【図６】図５の逓倍シフトクロック生成部の構成を示すブロック図である。
【図７】図５の逓倍シフトクロック生成部による記録クロック信号と記録波形を示すタイムチャートである。
【図８】基準クロックを分周した分周クロックによる中央部加熱パルスと中央部冷却パルスを任意に設定した記録波形を示すタイムチャートである。
【図９】トップパルスの照射パワー、パルス幅、デューティー及び発生位置を任意に設定した場合の記録波形を示すタイムチャートである。
【図１０】基準クロックを分周した分周クロックによる先頭部加熱パルスと先頭部冷却パルスを任意に設定した記録波形を示すタイムチャートである。
【図１１】トップパルス及びセンターパルスを任意に設定し、冷却パルス幅を減少させて中央部加熱及び冷却パルスを前方にシフトまたはパルス数を増加した場合の記録波形を示すタイムチャートである。
【図１２】先頭部加熱パルスの発生を遅らせた場合の記録波形を示すタイムチャートである。
【図１３】後部加熱パルスと後部冷却パルスからなるラストパルスの照射パワー、パルス幅、デューティー及び発生位置を任意に設定した場合の記録波形を示すタイムチャートである。
【図１４】後部加熱及び冷却パルスを発生しなかった場合の記録波形を示すタイムチャートである。
【図１５】相変化型記録媒体への一般的なマルチパルス記録波形の一例を示すタイムチャートである。
【図１６】加熱パルスと冷却パルスの１周期による記録層温度変化を示す特性図である。
【図１７】高速対応記録媒体に対して書込み範囲外の低線速にて記録を行った場合の記録波形とマーク形状を示す図である。
【図１８】高速対応記録媒体に対して書込み範囲外の低線速にて記録を行った場合の記録層の温度変化を示す特性図である。
【図１９】マーク形状の幅が太くならないようにデューティーを調整したときの記録波形とマーク形状を示す図である。
【図２０】低速対応記録媒体に対して書込み範囲外の高線速度での書込みを行った場合の記録波形の一例を示すタイムチャートである。
【図２１】低速対応記録媒体に対して書込み範囲外の高線速度での書込みを行った場合の記録層の温度変化を示す特性図である。
【符号の説明】
１０；光情報記録装置、１１；コントローラ、１２；基準クロック発生部、
１３；記録クロック生成部、１３−１；逓倍クロック生成部、
１３−２；分周クロック生成部、１３−３；シフトクロック生成部、
１３−４；逓倍シフトクロック生成部、１４；波形設定値記憶部、
１５；記録波形発生部、１６；ＬＤ駆動部、１７；ＬＤ、６１；ＶＣＯ、
６２；分周器、６３；位相比較器、６４；フィルタ、６５；ＣＨＣＬＫ  Ｇｅｎ。
【図１】
2005038475.tif 000003
【図２】
2005038475.tif 000004
【図３】
2005038475.tif 000005
【図４】
2005038475.tif 000006
【図５】
2005038475.tif 000007
【図６】
2005038475.tif 000008
【図７】
2005038475.tif 000009
【図８】
2005038475.tif 000010
【図９】
2005038475.tif 000011
【図１０】
2005038475.tif 000012
【図１１】
2005038475.tif 000013
【図１２】
2005038475.tif 000014
【図１３】
2005038475.tif 000015
【図１４】
2005038475.tif 000016
【図１５】
2005038475.tif 000017
【図１６】
2005038475.tif 000018
【図１７】
2005038475.tif 000019
【図１８】
2005038475.tif 000020
【図１９】
2005038475.tif 000021
【図２０】
2005038475.tif 000022
【図２１】
2005038475.tif 000023